(57)【特許請求の範囲】
【請求項１】
幅２Ｌ奥行きＬの座面を有するソファー本体と、前記座面と同じ高さの幅Ｌ奥行きＬのクッション載置面を有する前記ソファー本体と別体の足置き台と、幅Ｌ奥行きＬの第一の座クッションと、幅２Ｌ奥行きＬの第二の座クッションとを有し、前記第二の座クッションを前記ソファー本体の座面に載置すると共に前記第一の座クッションを前記足置き台のクッション載置面に載置して通常のソファー及びこれと別体のスツールとして利用すること、並びに、前記第一の座クッションを前記ソファー本体の座面に載置すると共に前記第二の座クッションを前記通常のソファーとして利用する場合の載置の方向から９０度回転させて前記ソファー本体の座面の残りの部分と前記足置き台のクッション載置面とに亘って載置して通常のソファー及び足置き台付きソファーとして利用することが可能であることを特徴とするソファー。
【請求項２】
幅３Ｌ奥行きＬの座面を有するソファー本体と、前記座面と同じ高さの幅Ｌ奥行きＬのクッション載置面を有する前記ソファー本体と別体の足置き台と、幅Ｌ奥行きＬの二つの第一の座クッションと、幅２Ｌ奥行きＬの第二の座クッションとを有し、前記第一の座クッション一つと前記第二の座クッションとを前記ソファー本体の座面に載置すると共に前記第一の座クッションを前記足置き台のクッション載置面に載置して通常のソファー及びこれと別体のスツールとして利用すること、並びに、前記第一の座クッション二つを前記ソファー本体の座面に載置すると共に前記第二の座クッションを前記通常のソファーとして利用する場合の載置の方向から９０度回転させて前記ソファー本体の座面の残りの部分と前記足置き台のクッション載置面とに亘って載置して通常のソファー及び足置き台付きソファーとして利用することが可能であることを特徴とするソファー。
【発明の詳細な説明】
【技術分野】
【０００１】
本発明は、ソファーに関する。さらに詳述すると、本発明は、通常の利用形態において足置き台を有するソファーに関する。
【背景技術】
【０００２】
従来の足置き台付きソファーとしては、図７に示すように、ソファー本体１０１の座部１０１ａの前面に座部１０１ａと略同高又はそれよりも高い足置き面を有する足置き台１０２の格納部１０５を設け、この足置き台１０２の背面に複数本の直扞１０３を平行に設け、格納部１０５奥の座台１０１ｂ内にその前面から各直扞１０３が挿入、案内される案内孔１０４を設けて足置き台１０２を引き出し自在に支持するものがある（特許文献１）。
【０００３】
【特許文献１】特開平９−２８９９３４号
【発明の開示】
【発明が解決しようとする課題】
【０００４】
しかしながら、特許文献１の足置き台付きソファーでは、ソファー本体１０１と足置き台１０２とが直扞１０３を介して連結されているために足置き台１０２を取り外すことができない。したがって、足置き台１０２を使わなくなったりソファーの設置スペースの制約で足置き台１０２が邪魔になったりした場合にはソファー全体を取り換えなければならない。すなわち、ソファーの利用方法の変化や設置スペースの制約等に合わせて利用形態を変化させることができないので汎用性が高いとは言い難い。また、例えば来客や家族構成の変化などに合わせて着座可能な座席の数を増やすことができず、この点からも多様な状況に対応可能であって汎用性が高いとは言い難い。
【０００５】
そこで、本発明は、状況に合わせて利用形態を変化させることによって多様な状況に対応することができると共に快適に利用できるソファーを提供することを目的とする。
【課題を解決するための手段】
【０００６】
かかる目的を達成するため、請求項１記載のソファーは、幅２Ｌ奥行きＬの座面を有するソファー本体と、座面と同じ高さの幅Ｌ奥行きＬのクッション載置面を有するソファー本体と別体の足置き台と、幅Ｌ奥行きＬの第一の座クッションと、幅２Ｌ奥行きＬの第二の座クッションとを有し、第二の座クッションをソファー本体の座面に載置すると共に第一の座クッションを足置き台のクッション載置面に載置して通常のソファー及びこれと別体のスツールとして利用すること、並びに、第一の座クッションをソファー本体の座面に載置すると共に第二の座クッションを通常のソファーとして利用する場合の載置の方向から９０度回転させてソファー本体の座面の残りの部分と足置き台のクッション載置面とに亘って載置して通常のソファー及び足置き台付きソファーとして利用することが可能であるようにしている。
【０００７】
また、請求項２記載のソファーは、幅３Ｌ奥行きＬの座面を有するソファー本体と、座面と同じ高さの幅Ｌ奥行きＬのクッション載置面を有するソファー本体と別体の足置き台と、幅Ｌ奥行きＬの二つの第一の座クッションと、幅２Ｌ奥行きＬの第二の座クッションとを有し、第一の座クッション一つと第二の座クッションとをソファー本体の座面に載置すると共に第一の座クッションを足置き台のクッション載置面に載置して通常のソファー及びこれと別体のスツールとして利用すること、並びに、第一の座クッション二つをソファー本体の座面に載置すると共に第二の座クッションを通常のソファーとして利用する場合の載置の方向から９０度回転させてソファー本体の座面の残りの部分と足置き台のクッション載置面とに亘って載置して通常のソファー及び足置き台付きソファーとして利用することが可能であるようにしている。
【０００８】
したがって、このソファーによると、足置き台をソファー本体と繋げて設置した場合には、ソファー本体の座面と足置き台のクッション載置面とに亘って第二の座クッションを配置することによって足置き台付きソファーとして利用することができる。また、足置き台をソファー本体と別体にするようにしているので、足置き台をソファー本体と離して設置した場合には、座面に第一の座クッションと第二の座クッションとを配置することによってソファー本体を通常のソファーとして利用すると共に、クッション載置面に第一の座クッションを配置することによって足置き台をソファー本体とは別体のスツールとして利用することができる。
【０００９】
また、ソファーの利用方法の変化や設置スペースの制約等によって足置き台が不要になった場合にはソファー本体とは別体の足置き台だけを取り外し、ソファー本体はそのまま通常のソファーとして利用することができる。
【００１０】
さらに、足置き台をソファー本体と繋げて足置き台付きソファーとして利用する場合には、ソファー本体の座面と足置き台のクッション載置面とに亘る一体の座クッションを配置するようにしているので、ソファー本体の着座面から足置き面までを切れ目のない連続面にすることができる。
【発明の効果】
【００１１】
本発明のソファーによれば、足置き台の設置並びに座クッションの配置の仕方によってソファーの利用形態を変化させて足置き台付きソファーとして利用したり足置き台をソファー本体とは別体のスツールとして利用したりすることができるので、着座者の好みや着座者の人数の変化等の多様な状況に対応することが可能であり、汎用性の向上を図ることができる。
【００１２】
また、足置き台が不要になった場合にはソファー本体とは別体の足置き台だけを取り外し、ソファー本体はそのまま通常のソファーとして利用することができるので、多様な状況に対応することが可能であり、汎用性の向上を図ることができる。
【００１３】
さらに、足置き台付きソファーとして利用する場合には、ソファー本体の着座面と足置き面とを切れ目のない連続面にするようにしているので、臀部から大腿部、臑部の全体を支持することが可能であり、快適性の向上を図ることができる。また、足置き台自体はソファー本体と別体でありながら、ソファー本体の座面と足置き台のクッション載置面とに亘る一体の座クッションを配置するようにしているので、足置き台を利用している際に足置き台がソファー本体から徐々に離れたり近付いたりすることがなく、快適性の向上を図ることができる。
【発明を実施するための最良の形態】
【００１４】
以下、本発明の構成を図面に示す最良の形態に基づいて詳細に説明する。
【００１５】
図１から図４に、本発明のソファーの実施形態の一例を示す。このソファー１は、幅３Ｌ奥行きＬの座面２ａを有するソファー本体２と、座面２ａと同じ高さの幅Ｌ奥行きＬのクッション載置面３ａを有するソファー本体２と別体の足置き台３と、幅Ｌ奥行きＬの二つの第一の座クッション４と、幅２Ｌ奥行きＬの第二の座クッション５とを有する。
【００１６】
本明細書では、ソファー本体２の背部２ｄ側を後、反対側を前とすると共に、この前後方向に合わせて立ったときの左手を左、右手を右とする。
【００１７】
ソファー本体２は、本実施形態では、上面に第一の座クッション４及び第二の座クッション５を載置するための幅３Ｌ奥行きＬの座面２ａを有する座部２ｂと、肘掛け部２ｃと、背部２ｄとを有する。座部２ｂ、肘掛け部２ｃ及び背部２ｄはそれぞれ例えば木又は金属管等を芯材としてウレタンフォーム等を用いて成形されると共に例えば天然皮、合成皮革、布等の表面張材によって表面が覆われる。なお、背部２ｄの座部２ｂ側には、着座者が寄り掛かり易いように上端側が後方に傾斜する面が形成されている。
【００１８】
そして、座部２ｂの左右両端に肘掛け部２ｃが固定され、座部２ｂの後端且つ左右両側の肘掛け部２ｃの間に背部２ｄが固定される。なお、座部２ｂと肘掛け部２ｃ、座部２ｂ及び肘掛け部２ｃと背部２ｄとは、それぞれ芯材同士がボルト等によって連結され固定される。
【００１９】
足置き台３は、例えば木又は金属管等を芯材としてウレタンフォーム等を用いて成形されると共に例えば天然皮、合成皮革、布等の表面張材によって表面が覆われる。なお、本実施形態では足置き台３の下面の四隅に直方体状の脚が設けられるようにしているが、脚の代わりにキャスターが取り付けられるようにしても良い。この場合には、足置き台３の移動が容易になるという効果を発揮する。なお、下面にキャスターを取り付けることにより足置き台３の移動が容易になっても、足置き台３をソファー本体２と繋げて設置して足置き台付きソファーとして利用する場合にはソファー本体２の座面２ａと足置き台３のクッション載置面３ａとに亘る一体の第二の座クッション５を配置するようにしているので、足置き台３を利用している際に足置き台３がソファー本体２から徐々に離れたり近付いたりすることがなく、快適性が損なわれることはない。
【００２０】
第一の座クッション４及び第二の座クッション５は、例えばウレタン、羽毛、綿等のクッション材を内部材とすると共に、例えば天然皮、合成皮革、布等の表面張材によって表面が覆われる。なお、内部材は複数のクッション材を適宜積層するようにしても良い。
【００２１】
また、本実施形態では、ソファー１は、背クッション６を有する。背クッション６は、例えばウレタン、羽毛、綿等のクッション材を内部材とすると共に、例えば天然皮、合成皮革、布等の表面張材によって表面が覆われる。なお、内部材は複数のクッション材を適宜積層するようにしても良い。
【００２２】
上述したソファー１の利用形態を以下に説明する。図２は、ソファー１が足置き台付きソファーとして利用される場合の形態である。具体的には、ソファー本体２の座部２ｂの前部左側に寄せて足置き台３が座部２ｂと繋がって設置されると共に、座部２ｂの座面２ａの左側と足置き台３のクッション載置面３ａとに第二の座クッション５が配置される。そして、座部２ｂの座面２ａの中央部及び右側には、第一の座クッション４が二つ横並びで配置される。さらに、本実施形態では、第一の座クッション４及び第二の座クッション５の上面の背部２ｄ側に背クッション６が二つ横並びで配置される。これにより、ソファー１の左側は足置き台付きソファーとして利用されると共に、中央部及び右側は通常の二人掛けのソファーとして利用される。
【００２３】
また、図３は、足置き台３がソファー本体２と離して設置されて通常のソファー１並びにスツール７として利用される場合の形態である。具体的には、足置き台３がソファー本体２と離して設置されると共にクッション載置面３ａに第一の座クッション４が配置され、ソファー本体２の座部２ｂの座面２ａに第一の座クッション４及び第二の座クッション５が長手方向に横並びで配置される。さらに、本実施形態では、第一の座クッション４及び第二の座クッション５の上面の背部２ｄ側に背クッション６が二つ横並びで配置される。これにより、ソファー１は通常の三人掛けのソファーとして利用され、足置き台３及び第一の座クッション４はソファー１とは別体のスツール７として利用される。
【００２４】
なお、上述の形態は本発明の好適な形態の一例ではあるがこれに限定されるものではなく、本発明の要旨を逸脱しない範囲において種々変形実施可能である。例えば、本実施形態では、ソファー１が足置き台付きソファーとして利用される場合に、ソファー本体２の左側に足置き台３が設置されると共に第二の座クッション５が配置されてソファー本体２の左側が足置き台付きソファーとして利用されるようにしているが（図２，図４（Ａ））、これに限られず、ソファー本体２の中央部や右側に足置き台３が設置されると共に第二の座クッション５が配置されて足置き台付きソファーとして利用されるようにしても良い（図４（Ｂ），（Ｃ））。
【００２５】
また、本実施形態では、ソファー本体２が肘掛け２ｃを備えるようにしているが、肘掛け２ｃを備えない構成としても良い。
【００２６】
また、本実施形態では、ソファー本体２が背クッション６を備えるようにしているが、背クッション６を備えない構成としても良い。この場合には、ソファー本体２の背部２ｄを背凭れとして用いるようにしても良く、さらに、背部２ｄの座部２ｂ側の面に弾力性のあるクッション材を積層させて快適性を向上させるようにしても良い。さらに、本実施形態では、ソファー本体２が背部２ｄを備えるようにしているが、例えばソファー１が壁際に設置されるような場合には背部２ｄを備えない構成としても良い。
【００２７】
さらに、本実施形態では、ソファー１が、幅３Ｌ奥行きＬの座面２ａを有するソファー本体２と、幅Ｌ奥行きＬの二つの第一の座クッション４と、幅２Ｌ奥行きＬの第二の座クッション５とを有するようにしているが、これに限られず、幅２Ｌ奥行きＬの座面を有するソファー本体２’と、幅Ｌ奥行きＬの第一の座クッション４と、幅２Ｌ奥行きＬの第二の座クッション５とを有するようにしても良い。この場合も、足置き台３が座部２ｂと繋がって設置されると共に座面２ａとクッション載置面３ａとに亘って第二の座クッション５が配置され、座面２ａの残りの面に第一の座クッション４が配置される場合には、ソファー１’は足置き台付きソファー並びに通常の一人掛けのソファーとして利用される（図５（Ａ），（Ｂ））。そして、足置き台３がソファー本体２’と離して設置されると共にクッション載置面３ａに第一の座クッション４が配置され、座部２ｂの座面２ａに第二の座クッション５が配置される場合には、ソファー１’は通常の二人掛けのソファーとして利用され、足置き台３及び第一の座クッション４はソファー１’とは別体のスツール７として利用される（図５（Ｃ））。
【００２８】
さらにまた、ソファー本体２とソファー本体２’と第一の座クッション４と第二の座クッション５との組み合わせの個数は特に限定されるものではなく、利用状況等に合わせて適当な個数を適宜組み合わせるようにしても良い。具体的には例えば、ソファー本体２及び左右の肘掛けのないソファー本体２’をそれぞれ一つずつと、第一の座クッション４及び第二の座クッション５をそれぞれ二つずつとを組み合わせるようにしても良い。この場合も、利用状況等に合わせて適宜利用形態を変化させて、通常のソファー、足置き台付きソファー、スツールとして利用することができる（図６（Ａ）〜（Ｉ））。
【図面の簡単な説明】
【００２９】
【図１】本発明のソファーの実施形態の一例を示す図で、クッションを取り除いたソファー本体並びに足置き台の斜視図である。
【図２】本実施形態のソファーを足置き台付きソファーとして利用する場合の形態を示す斜視図である。
【図３】本実施形態のソファーを通常のソファー並びに別体のスツールとして利用する場合の形態を示す斜視図である。
【図４】本実施形態のソファーの足置き台設置箇所のバリエーションを示す概略平面図である。（Ａ）は図２の形態に対応する概略平面図であって、ソファー本体左側に足置き台を設置して利用する場合の形態の概略平面図である。（Ｂ）はソファー本体中央部に足置き台を設置して利用する場合の形態の概略平面図である。（Ｃ）はソファー本体右側に足置き台を設置して利用する場合の形態の概略平面図である。
【図５】他の実施形態のソファーの利用形態のバリエーションを示す概略平面図である。（Ａ）はソファー本体左側に足置き台を設置して利用する場合の形態の概略平面図である。（Ｂ）はソファー本体右側に足置き台を設置して利用する場合の形態の概略平面図である。（Ｃ）はソファー並びにスツールとして利用する場合の形態の概略平面図である。
【図６】更に他の実施形態のソファーの利用形態のバリエーションを示す概略平面図である。
【図７】従来の足置き台付きソファーを示す斜視図である。
【符号の説明】
【００３０】
１  ソファー
２  ソファー本体
２ａ  座面
２ｂ  座部
２ｃ  肘掛け部
２ｄ  背部
３  足置き台
３ａ  クッション載置面
４  第一の座クッション
５  第二の座クッション
【図１】
0004657158.tif 000002
【図２】
0004657158.tif 000003
【図３】
0004657158.tif 000004
【図４】
0004657158.tif 000005
【図５】
0004657158.tif 000006
【図６】
0004657158.tif 000007
【図７】
0004657158.tif 000008